(57)【要約】 【課題】  広告依頼主及び情報管理者にとって、広告宣伝費、維持費等の負担にならない広告情報の提供を、コンピュータシステムを用いて行うこと。【解決手段】広告端末を所有する広告主に対して、ネットワークを介し、かつ、自動販売機で販売する対価性の商品を広告媒体として広告情報の供給を行う旨を知らせる広告宣伝システムに於いて、サーバは、広告端末に対して、自動販売機は、冷蔵機能を有しないと共に持ち運び自在な自動販売機であること、該自動販売機で販売される容器内装の商品は、手軽に片手で持てる有体物であると共に、自動販売機に所要の硬貨を投入口すること、及び手動式操作手段を操作することを条件として購入することができること、さらに、広告主の商品等の表示は、容器内商品に付されている旨を表示して、サーバの広告に関する企画提案に応募するように促すこと。【選択図】  図４
2007240797.tif 000002
【特許請求の範囲】
【請求項１】
広告端末を所有する広告主（広告依頼者）に対して、ネットワークを介し、かつ、自動販売機で販売する対価性の商品を広告媒体として広告情報の供給を行う旨を知らせる広告宣伝システムに於いて、サーバは、広告端末の表示部に対して、自動販売機は、冷蔵機能を有しないと共に持ち運び自在な自動販売機であること、該自動販売機で販売される容器内装の商品は、手軽に片手で持てる有体物であると共に、自動販売機に所要の硬貨を投入口すること、及び手動式操作手段を操作することを条件として購入することができること、さらに、広告主の商品等の表示は、前記容器内商品に付されている旨を表示して、サーバの広告に関する企画提案に応募するように促すことを特徴とする広告宣伝システム。
【請求項２】
請求項１に於いて、広告主の商品等の表示は、直接媒体としての印刷物に付されていると共に、該印刷物には、特典情報も表示されていることを特徴とする広告宣伝システム。
【請求項３】
請求項１に於いて、広告主の商品等の表示は、容器内装の商品自体に付されていることを特徴とする広告宣伝システム。
【請求項４】
請求項１に於いて、少なくとも一つの自動販売機７に容器内装の対価性の商品と、容器内装の非対価性の商品とが含まれていることを特徴とする広告宣伝システム。
【請求項５】
サーバは、サーバ記憶部に、広告情報に関する企画ファイルと、企画に応募した広告主（広告依頼者）の広告主会員ＤＢと、真正商品を取り扱う発注先会員ＤＢと、広告媒体となる包装容器を指定された自動販売機まで少なくとも運搬・充填する物流会員ＤＢと、自動販売機を設置してくれた設置協力者ＤＢと、自動販売機の販売状況に関する残留数ＤＢをそれぞれ格納し、また、サーバは、広告主が前記企画案に応募した場合には、サーバ記憶部に広告主をシステム会員として広告主会員ＤＢに登録する会員登録段階と、広告主会員ＤＢに格納された会員情報に関連付けて、真正商品を取り扱う発注先会員ＤＢの情報に基づき発注先を特定した上で、広告主会員が所望する商品に当該広告主会員の商品等の表示を、包装容器に真正商品と共に内装する旨を、発注先端末に依頼する商品発注段階と、また、サーバは、発注先端末から仕事が完了した旨の情報を取得した場合には、当該発注先会員と物流会員の各会員コードをそれぞれ関連付けると共に、所望する設置協力者ＤＢの識別化された自動販売機にも関連付けてサーバ記憶部に記録し、さらに、前記担当物流会員物流端末に対して指定した設置協力者の場所にある特定の自動販売機まで商品を運搬し、かつ、充填するように指示する段階を含むことを特徴とする広告宣伝システム。
【請求項６】
請求項５に於いて、サーバのシステム制御部は、識別番号設定手段を有し、該識別番号設定手段は、制御プログラムに基づいて、設置協力者ＤＢのコード番号に所定範囲の識別番号それぞれ割り当てることを特徴とする広告宣伝システム。
【請求項７】
請求項５に於いて、サーバは、サーバ記憶部に残留数ＤＢを有し、検知器を備えている自動販売機にあっては、落下数や充填数に関する検知信号に基づいて自動的に充填を完了した旨の通知を受けることを特徴とする広告宣伝システム。
【請求項８】
請求項５に於いて、サーバは、オペレータや充填者が、その所持するバーコード読取端末機を介して商品販売状況に関する情報を確認した場合には、読取端末機の入力部に対する手動入力によって、充填を完了した旨の通知を受けることを特徴とする広告宣伝システム。
【請求項９】
請求項５に於いて、広告主の商品等の表示が、直接媒体としての印刷物に付されている場合には、サーバ側が手配することを特徴とする広告宣伝システム。
【発明の詳細な説明】
【技術分野】
【０００１】
本発明は、システム管理サーバと、広告依頼主の広告端末との間にネットワークが介在する広告宣伝システムに関する。いわゆるビジネスモデル特許である。
【背景技術】
【０００２】
特許文献１には、「飲料料容器に広告用シールを直接貼り付けて広告を行うためのシステム会員を募集するシステム管理会社と、上記システム管理会社の募集に応募して、上記広告用シールを介して広告を行うシステム会員と、上記広告用シールを飲料容器に貼り付けるシール貼り加工業者と、上記シール貼り加工業者によって広告用シールが貼り付けられた飲料容器に入れられた飲料水を自動販売機に装填する自動販売機管理会社とからなることを特徴とする飲料容器を広告媒体とした拡販システム」が記載されている。この特許文献１は、ネットワーク、会員端末或いはユーザ端末を構成要件といないことから、発明を構成しない。
【０００３】
しかしながら、特許文献１の明細書全文及び図面を考慮すると、該特許文献１には、「広告端末を所有する広告主（広告依頼者）に対して、ネットワークを介し、かつ、自動販売機で販売する対価性の商品を広告媒体として広告情報の供給を行う旨を知らせる広告宣伝システム」が記載されているものと認められる。
【０００４】
また、特許文献２には、「カプセル自販機」と称する発明が記載されている。このカプセル自販機は、一般的に「ガチャガチャ（おもちゃの登録商標）」と呼ばれている「カプセル内装の商品を販売する自動販売機」をいう。特許文献２に記載の自動販売機は、「収納ケースと、カプセル入り商品が通過する貫通孔部を有するとともに収納ケースの底面で回転自在に軸支される回転台と、回転台を手動で回動するためにギア連動機構に接続される回転ハンドルと、商品取出口に落下させる商品排出機構と、回転台が落下位置まで回動駆動されることを許可する硬貨検出装置とを有し、回転ハンドルの操作により、１個分の商品が商品取出口に落下されたときに電気信号を得るための検出器を位置決め片の解除位置を検出する検出位置に配設する」ことを特徴とする。
【０００５】
さらに、特許文献３には、サーバは、広告依頼主の広告端末の表示部に対して、地図情報を表示して、該地図上の広告対象物（例えば建物）の位置座標を指定して広告に応募する旨の事項が記載されている。
【特許文献１】特開２００２−２３６４６２号公報
【特許文献２】特開２００５−２４２４６２号公報
【特許文献３】特許第２７５６４８３号公報
【発明の開示】
【発明が解決しようとする課題】
【０００６】
本発明の第１の目的は、広告依頼主にとって、広告宣伝費の負担にならない広告情報の提供を、コンピュータシステムを用いて行うことである。第２の目的は、広告依頼主は、所望する商品を自由に選択することができると共に、選択した商品に直接又は間接的に広告依頼主の所望する商品等の表示を容器に内装することができることである。第３の目的は、サーバに取って、電気料、自動販売機の設置料、維持費等の負担にならない、或いは負担を極力抑えることができる広告宣伝システムを提供することである。第４の目的は、一般のユーザに対して、商品購入を促すことである。第５の目的は、設置協力者によってもメリットがある新規なビジネスモデル（事業）を提案し、日本国の産業の発展に寄与することである。第６の目的は、実施例によっては、ゲーム性を持たせることである。
【課題を解決するための手段】
【０００７】
本発明の広告宣伝システムは、広告端末を所有する広告主（広告依頼者）に対して、ネットワークを介し、かつ、自動販売機で販売する対価性の商品を広告媒体として広告情報の供給を行う旨を知らせる広告宣伝システムに於いて、サーバは、広告端末の表示部に対して、自動販売機は、冷蔵機能を有しないと共に持ち運び自在な自動販売機であること、該自動販売機で販売される容器内装の商品は、手軽に片手で持てる有体物であると共に、自動販売機に所要の硬貨を投入口すること、及び手動式操作手段を操作することを条件として購入することができること、さらに、広告主の商品等の表示は、前記容器内商品に付されている旨を表示して、サーバの広告に関する企画提案に応募するように促すことを特徴とする。
【０００８】
また、本発明の広告宣伝システムは、サーバは、サーバ記憶部に、広告情報に関する企画ファイルと、企画に応募した広告主（広告依頼者）の広告主会員ＤＢと、真正商品を取り扱う発注先会員ＤＢと、広告媒体となる包装容器を指定された自動販売機まで少なくとも運搬・充填する物流会員ＤＢと、自動販売機を設置してくれた設置協力者ＤＢと、自動販売機の販売状況に関する残留数ＤＢをそれぞれ格納し、また、サーバは、広告主が前記企画案に応募した場合には、サーバ記憶部に広告主をシステム会員として広告主会員ＤＢに登録する会員登録段階と、広告主会員ＤＢに格納された会員情報に関連付けて、真正商品を取り扱う発注先会員ＤＢの情報に基づき発注先を特定した上で、広告主会員が所望する商品に当該広告主会員の商品等の表示を、包装容器に真正商品と共に内装する旨を、発注先端末に依頼する商品発注段階と、また、サーバは、発注先端末から仕事が完了した旨の情報を取得した場合には、当該発注先会員と物流会員の各会員コードをそれぞれ関連付けると共に、所望する設置協力者ＤＢの識別化された自動販売機にも関連付けてサーバ記憶部に記録し、さらに、前記担当物流会員物流端末に対して指定した設置協力者の場所にある特定の自動販売機まで商品を運搬し、かつ、充填するように指示する段階を含むことを特徴とする。
【発明の効果】
【０００９】
（１）自動販売機は、いわば、静的セースルマンの機能を発揮することができる。したがって、広告依頼主にとって、広告宣伝費の負担にならない広告情報の提供である。
（２）広告依頼主は、所望する商品を自由に選択することができると共に、サーバに対して、選択した商品に直接又は間接的に広告依頼主の所望する商品等の表示を容器に内装する旨を依頼することができる。
（３）一方、サーバにとっては、自動販売機は、冷蔵機能を有しないと共に持ち運び自在な自動販売機であること、該自動販売機で販売される容器内装の商品は、手軽に片手で持てる有体物であると共に、自動販売機に所要の硬貨を投入口すること、及び手動式操作手段を操作することを条件として購入することができることなどの理由から、電気料、自動販売機の設置料、維持費等の負担にならない、或いは負担を極力抑えることができる広告宣伝システムを提供することができる。
（４）さらに、一般のユーザにとっては、特典（ポイトン情報）も含まれているので、特典を目的に商品を購入するメリットがある。
（５）加えて、自動販売機の設置協力者は、宣伝広告協力料、販売促進料等の名目で、サーバ側から広告の実績料を受け取ることも可能となる。例えば自動販売機に投入された硬貨から還元を受ける。したがって、設置協力者によってもメリットがある新規なビジネスモデル（事業）を提案し、日本国の産業の発展に寄与することが可能となる。
【発明を実施するための最良の形態】
【００１０】
以下、図１乃至図６に示す本発明を実施するための最良の形態により説明する。
【００１１】
（１）システムの用語
図１は、広告宣伝システムのハードウェア構成図である。まず、図１を参照にして、本発明の自動販売機を利用した広告宣伝システムの実施の形態を簡単に説明する。ここでは、特に、システムの用語を説明する。
【００１２】
１はシステム管理サーバ（以下、「サーバ」という。）である。このサーバ１は、例えば企画案の提示、企画案に応募した広告主に関する会員登録、包装体に広告主の所望する広告情報と共に対価性のある真正商品を入れる発注先に関する会員登録、発注先が梱包した広告媒体を自動販売機の設置場所まで運搬し、望ましくは充填や販売状況の情報を収集する等を行う物流に関する会員登録、自動販売機を設置してくれた設置協力者に関する会員登録、設置協力者の設置場所に設置してある自動販売機に関する識別情報、自動販売機に充填された真正商品の残留数に関する販売情報等の情報を管理する。
【００１３】
２はラン、通信網等のネットワークである。ネットワーク２の詳細については周知事項なので、ここでは割愛する。本実施例では、ネットワーク２の一例として、インターネット２が採用されている。
【００１４】
３は多数の広告主（広告依頼主）で、この広告依頼主３は、株式会社、有限会社、団体、財団等の私益法人、公益法人の他に、個人事業を経営している自然人も含まれる。４は多数の広告依頼主３が所有或いは占有している広告依頼主端末（以下、「広告端末」という。）である。
【００１５】
５はサーバ１企画案に賛同し、自己の支配する場所６に単数又は複数の自動販売機７を設置してくれた多数の設置協力者で、各設置協力者５はそれぞれ自動販売機７に関する情報の入力・出力等を行うことができる自動販売機設置端末（以下、「設置端末」という）８を所有又は占有している。
【００１６】
９は広告宣伝システムに関係する発注先端末、１０は発注先端末と直接又は間接的に関係する物流端末、１１は自動販売機７から商品１２を購入する一般のユーザ、１３はユーザ端末、１ａはＦＡＸを含む通信手段でサーバ１と接続する印刷機端末である。
【００１７】
本実施例では、サーバ１は、少なくとも各種の端末４、８、９、１０、１３とインターネット２を介して接続していることから、例えば広告端末４は、Ｗｅｂサイト、サーバ１のＨＰ（ホームページ）等にアクセスして広告方法に関する情報のやりとり（送受信）を行うことができる。発注先端末９、物流端末１０等も同様である。ここで「会員端末」とは、少なくともサーバ１と広告情報、広告媒体に関する情報、広告媒体の販売情報等のやりとりを行う広告端末４、設置端末８、発注先端末９及び物流端末１０をいう。したがって、会員端末は広告依頼主の広告端末４のみを意味するものではない。
【００１８】
（２）サーバ１
図２は、サーバ１のハードウェア構成図である。このサーバ１は、当然のことながら、世界を含む各地の会員端末４、（８、９，１０）からネットワーク２を介して送られてくる信号（情報）を入力する入力部２１、該入力部からの信号を受け取ってサーバ記憶部２３にアクセスし、かつ、サーバ記憶部２３の格納情報を取得して情報を制御するサーバ制御部（中央演算処理部）２２及び出力部２４をそれぞれ有する。出力部２４の信号は、サーバ１の表示部（表示画面）２５、ネットワーク２等に出力される。
【００１９】
付言すれば、サーバ制御部２２は、サーバ記憶部２３にＯＳ等の制御プログラム３１、当該管理システムの仕様の手順を規定したプログラム３２、及び本システムを実行するためのファィルないし所要のデータを格納するための内部メモリ（ここでは、「本システム用ファィル装置３３」という。）を有し、これらのプログラム３１、３２及び本システム用ファィル装置３３に基づいて、検索・蓄積・表示制御・出力制御等の機能２２ａを発揮する。また、サーバ制御部２２は、入力部２１及びサーバ記憶部２３の情報に基づいて、各設置協力者５の所望する場所に設置した自動販売機７に関する識別番号設定手段（機能）２２ｂを有している。
【００２０】
（３）本システム用ファィル装置３３
図３乃至図５を参照にして、本発明を特定付けるサーバ記憶部２３のファィル装置３３について説明する。ファィル装置３３は、少なくとも、広告情報に関する企画ファイル３４と、企画に応募した多数の広告主３、３ｎに関する広告主会員ＤＢ３５と、広告情報と共に真正商品の容器詰めを取り扱う発注先会員ＤＢ３６と、広告媒体となる包装容器を指定された自動販売機７、７ｎまで運搬し、かつ、充填、残留情報等をする物流会員ＤＢ３７と、サーバ１の企画案に賛同し、自己の支配する場所に自動販売機７、７ｎを設置してくれた設置協力者ＤＢ３８と、サーバ制御部２２の識別番号設定手段（機能）２２ｂにより、個別化・識別化された前記自動販売機７、７ｎに関する自動販売機ＤＢ３９と、これらの自動販売機７、７ｎの販売状況に関する残留数ＤＢ４０をそれぞれ格納している。
【００２１】
ここで、各ＤＢの内容（表示態様）と位置付けを説明する。まず、企画ファイル３４は、図４で示すように、自動販売機７の外観構成に関する画像情報、自動販売機７の機能情報など自動販売機の型式情報３４ａが含まれている。例えば自動販売機の形状、色彩や模様、自動販売機の大きさ、左右・上下に配列した場合の感じ、自動販売機の防犯性、自動販売機の販売個数に関する検知機能等が、ネットワーク２を介して、広告端末４の表示部に広告画像及びテキスト情報として表示され得る。
【００２２】
本実施例では、サーバ１は、広告端末４の表示部４ａに対して、自動販売機７は、冷蔵機能を有しないと共に持ち運び自在な自動販売機であること、該自動販売機７で販売される容器内装の商品１２は、手軽に片手で持てる有体物であると共に、自動販売機に所要の硬貨を投入口すること、及び手動式操作手段を操作することを条件として購入することができること、さらに、広告主の商品等の表示ＴＭは、前記容器内商品に付されている旨を表示する。
【００２３】
また、包装体４５に関する情報３４ｂが含まれている。例えば包装体４５の材質、形状、大きさ等である。また、包装体４５に内装される真正商品１２…１２ｎに関する多種類の商品情報３４ｃが含まれている。例えば医療品に付属する商品、文房具類、各種態様の小型玩具、化粧品、せっけん類、日用品、電池、飴等である。商品を列挙すると限がないが、真正商品１２…１２ｎは、交換価値（対価性）のあるもので、かつ、手軽に片手で持てる有体物である。但し、ここでは、清涼飲料、缶コーヒー、ボトル式お茶等冷蔵の対象となる物であって、容器内に広告媒体を内装することができない商品は除く。
【００２４】
また、宣伝内容に関する情報３４ｄが含まれている。例えば宣伝対象は広告主の商品等の表示、宣伝方法は持ち運び自在なガチャガチャタイプの自動販売機で販売する、宣伝方式は、自動販売機の外部から宣伝内容等の情報を視認できないように商品の包装体内に入れる、販売場所は病院、学校、塾、施設、駅構内、スーパー、コンビニ、飲食店、ホテル等である、販売期間……等である。
【００２５】
ここで、「広告主の商品等の表示」には、広告主の業務に係る氏名、商号、商標、又は、役務を識別するマーク、広告主の特売情報、及び広告主の特典情報、広告主の新製品情報、広告主の株主配当情報等が含まれる。このように、多種・多様な広告主の情報を容器内装の小型商品に付して広告情報の提供を広告端末４の表示部（表示画面）４ａに表示する。また、容器内装の小型商品も多種・多様である。
【００２６】
さらに、宣伝広告料及び応募手数料に関する情報３４ｅも含まれている。例えば、サーバ側に支払う会員手数料、販売時の真正商品１２…１２ｎの値引き率（広告主の宣伝広告費用に代えて、真正商品を何割安価に販売するか）、広告主の宣伝広告費が非常に安価である旨等である。
【００２７】
図４では、持ち運び自在な自動販売機７を二台上下方向に積み重ねた一例を示す。この種の自動販売機７は、業者間で、「ガチャガチャ（おもちゃの登録商標）」と呼ばれている「カプセル自動販売機（ここでは単に自動販売機７という。）」である。
【００２８】
この種の自動販売機７は、各種型式の物が存在するが、その基本的な構成は、複数の容器（例えばカプセル）入り商品１２を収納するための収納ケース４１と、該収納ケース４１内に支軸を介して回転自在に軸支されたカプセル入り商品用の回転台と、収納ケース４１の前面に設けられた手動式の操作手段４２と、該操作手段４２の操作力により駆動するように収納ケース４１に内装され、かつ、前記回転台に動力を伝達するギア連動機構と、このギア連動機構の伝動力により、前記回転台が所定の位置まで回転変位すると、カプセル入り商品１２の一つを商品排出口４３まで案内する内装ガイド手段を備え、一般の需要者（一般ユーザ）１１は、１０円、５０円、１００円等の所要の硬貨を投入口４４に入れないと、前記カプセル入り商品１２を取得することができないようになっている。
【００２９】
また、図４では、自動販売機７に充填される包装体４５の種類を示す。包装体４５は、例えば透視画像で、紙箱形状の容器４５ａ、缶形状の容器４５ｂ、ガチャガチャに見られるカプセル形状の容器４５ｃなどが表示され得る。
【００３０】
さらに、図４では、宣伝内容に関する情報３４ｄの一例が説明図と共に描写され得る。広告主の商品等の表示「Ｏ、Ｏ、Ｏ」ＴＭを、例えば直接媒体としてのポイントカード４６の表面に、ポイント（１００円券、２００円券、５００円券等）Ｐの表示と一緒に付す。
【００３１】
本実施例では、カードやシールに広告主の営業表示とポイントを円で表示している。また、本実施例の商品１２は、「ガチャガチャ」と同様に色々な形態玩具の商品１２にゲームを持たせつつ、当該商品１２を包むカプセル形状の容器１２に宣伝広告物としてのポイントカード４６を一緒に入れている。
【００３２】
これは一例であることから、例えば自動販売機７を病院に設置する場合には、当該商品１２はゲームに関係がない反面、医療に関係するマスク、消毒用シート等であり、商標権や著作権の法的問題がクリアーされている場合には、マスク等に関して広告主３の所望する商品等の表示「Ｏ、Ｏ、Ｏ」ＴＭと共に、風邪薬や花粉対策用商品情報を一緒に付することができる。
【００３３】
また、自動販売機７を学校や学習塾に設置した場合には、当該商品１２はゲームに関係がない反面、学習に関係する筆記具、消しゴム等であり、商標権や著作権の法的問題がクリアーされている場合には、筆記具、消しゴム等に関して広告主３の所望する商品等の表示「Ｏ、Ｏ、Ｏ」ＴＭと共に、学習関連情報を一緒に付することができる。
【００３４】
ところで、ここで「付する」とは、商品自体に広告主の商品等の表示を刻印する場合、商品自体に商品等の表示のシールを貼る場合、商品等の表示のラベルやシールを商品にぶら下げる場合、商品１２と共に、商品等の表示のカード状印刷物４６を包装体４５の中に入れる場合を意味する。
【００３５】
したがって、一般の需要者１１は、所望する時には、所要硬貨（最低価格は１０円、最高価格は９９０円まで）を自動販売機７の投入口４４に入れ、ハンドル式の操作手段４２を回して、或いは左右前後に操作して、商品排出口４３から落下した包装体４５を取り出し、その後、包装体４５から購入した商品１２を取り出し、次いで、カード状の印刷物４６を見て、必要ならば、当該広告主３のポイントを集める。
【００３６】
なお、カード状の印刷物４６に特典（例えばポイント）がない場合には、当該印刷物４６は、いわばゴミに相当するが、一般の需要者１１は、少なくとも広告主３の商品等の表示「Ｏ、Ｏ、Ｏ」ＴＭを目にする。
【００３７】
図３に戻って、広告主会員ＤＢ３５等を説明する。ファィル装置３３の広告主会員ＤＢ３５は、多数の広告主３、３ｎ別の会員端末４に関する情報をそれぞれ蓄積した第１ファイルに相当する。この該第１ファイル３５に蓄積されている多数の広告端末４に関する情報（広告主会員情報）は、いわば「主データ」に相当する。
【００３８】
したがって、システム管理会社のサーバ１から見れば、顧客に相当する広告主３が、サーバ記憶部２３の所定の記憶エリアに記録されていることから、サーバ１の表示部２５には、例えば広告主Ａ〜広告主Ｄが顧客名称の表示欄３５ａと共に、顧客コードＡ〜Ｄがコード欄３５ｂに表示され得る。
【００３９】
ファィル装置３３の発注先会員ＤＢ３６、物流会員ＤＢ３７、設置協力者ＤＢ３８は、前記広告主会員ＤＢ３５に関連する副データである。したがって、サーバ１側から見れば、発注先会員ＤＢ３６は第２ファイルに相当し、また、物流会員ＤＢ３７は第３ファイルに相当する。そして、自動販売機７を設置している設置協力者ＤＢ３８は、第４ファイルに相当する。
【００４０】
図３で示すように、発注先会員ＤＢ３６、物流会員ＤＢ３７及び設置協力者ＤＢ３８の各会員欄３６ａ、３７ａ、３８ａの名称欄には、それぞれ発注先会員の名称Ａ１〜Ｄ１、物流会員の名称Ａ２〜Ｄ２、設置協力者の名称Ａ３〜Ｄ３が記録されている。また、各会員の名称に対応して、識別コードＡ１、Ａ２、Ａ３……がそれぞれ付されている。
自動販売機ＤＢ３９は、後述するように、自動販売機ＤＢ３９に割り当てられた識別情報ａに基づき、発注先会員ＤＢ３６、物流会員ＤＢ３７及び設置協力者ＤＢ３８の各コードにそれぞれ関連付けられている。
【００４１】
次に、図５を参照にして、サーバ制御部２２の識別番号設定手段２２ｂと自動販売機ＤＢ３９との関係を説明する。自動販売機ＤＢ３９は、前述したように、設置協力者ＤＢ３８に割り当てた自動販売機についての識別情報ａを有するが、本実施例では、自動販売機７に関する識別情報ａは、サーバ制御部２２の識別番号設定手段２２ｂによって割り当てられる。
【００４２】
すなわち、識別番号設定手段２２ｂは、識別番号作成用の計算ソフトを有する制御プログラム３１に基づいて、例えば設置協力者ＤＢ３８のコード番号Ａ３〜Ｄ３に所定範囲の識別番号ａ０１、ｂ０１、ｃ０１、ｄ０１をそれぞれ割り当てる。この割り当て数は、設置協力者の所望する場所に設置する複数台の自動販売機７の数に対応する。この時、サーバ制御部２２は、入力部２１の入力信号及び制御プログラム１８に基づき、例えばマトリックス状の表形式のソフトにより、列（縦）と行（横）の識別数（番地数）を四則計算する機能を有する。
【００４３】
このように設置協力者ＤＢ３８のコード番号Ａ３〜Ｄ３に対応して自動販売機７に識別情報（識別番号）ａがそれぞれ付されたたならば、自動販売機ＤＢ３９に設置すべき自動販売機の識別情報ａが記録される。
【００４４】
なお、特に図示しないが、自動販売機７の外壁面には、自動販売機ＤＢ３９に記録されている自動販売機識別情報に対応する固定バーコードが付されている。
【００４５】
ところで、サーバ１は、例えば設置端末８に対して、識別情報ａを割り当てようとする場合には、設置協力者ＤＢ３８のａ０１のポインタ領域を指定し、かつ、所定範囲を指定する。指定を実行すると、サーバ制御部２２の識別番号設定手段２２ｂは、入力部２１から前記ａ０１のポインタ領域を指定する信号、所定範囲を指定する信号、所定範囲を決定した信号等を取得し、制御プログラム３１に基づき、かつ、設置協力者ＤＢ３８のコード番号Ａ３〜Ｄ３に対応して設置協力者・自動販売機識別に関する識別テーブルＴ１〜Ｔ４を作成する。
【００４６】
以下、サーバ１は、広告端末４から応募があった場合、発注先端末９に発注する場合、物流端末１０に依頼する場合等の処理に関しても、自動販売機ＤＢ３９に格納されている前記識別テーブルＴ１〜Ｔ４に関連付けて情報を入力する。
【００４７】
なお、本実施例では、発注先端末９に容器内装の商品を指定して発注する時、広告主の商品等の表示が、直接媒体としての印刷物に付されている場合には、サーバ側が手配する旨を通知する。
【００４８】
最後に、残留数ＤＢは、各設置協力者の各場所６にそれぞれ配備された自動販売機７に販売状況を把握する、いわゆる在庫数を管理するための記憶領域である。自動販売機７は、実施例によっては、検出器を備え、該検出器の検出信号は、包装体４５を充填する又は包装体４５が落下した数情報として自動的に、ネットワーク２を介してサーバ１側に送られて来る。この点に関しては、自動販売機７に商品１２を充填するオペレータが、自動販売機７に付した固定バーコードを、図示しない読取端末機で読み取り、ネットワーク２を介してサーバ１側に間接的に送る態様であっても良い。
【００４９】
（４）フローチャート
図６は、サーバ１側に視点をしたフローチャートを簡単に示す。前述したように、サーバ１は、サーバ記憶部２３に、広告情報に関する企画ファイル３４と、企画に応募した広告主の広告主会員ＤＢ３５と、真正商品を取り扱う発注先会員ＤＢ３６と、広告媒体となる包装容器４５を指定された自動販売機７まで運搬し、かつ、望ましくは充填等を行う物流会員ＤＢ３７と、自動販売機を設置してくれた設置協力者ＤＢ３８と、自動販売機ＤＢ３９及び現に設置された自動販売機の販売状況に関する残留数ＤＢ４０をそれぞれ有している。
【００５０】
そこで、Ｓ００１は企画案提示段階で、この企画案提示段階では、サーバ１はネットワーク２を介して企画案を提示し、広告主の募集をする。付言すれば、サーバ１は、広告端末４の表示部４ａに対して、自動販売機７は、冷蔵機能を有しないと共に持ち運び自在な自動販売機であること、該自動販売機７で販売される容器４５内装の商品１２は、手軽に片手で持てる有体物であると共に、自動販売機７に所要の硬貨を投入口すること、及び手動式操作手段４２を回転操作することを条件として購入することができること、さらに、広告主の商品等の表示ＴＭは、前記容器４５に内装される商品１２に直接又は間接的に付されている旨を表示して、サーバ１の広告に関する企画提案に応募するように促す（特徴部分）。
【００５１】
次に、Ｓ００２は会員登録段階で、この会員登録段階では、広告端末４の広告主３がサーバ１の前記広告に関する企画案を見て、その入力部に承諾（契約）する旨の入力をして募集に応募する。この場合は、サーバ１は、契約を条件として、サーバ記憶部２３に広告主３をシステム会員として広告主会員ＤＢ３５に登録する。この時、サーバ１は、広告端末４に会員登録番号、パスワード等を付与する。また、サーバ１は、「システム会員登録証」を、ネットワーク２を介して、又は介さないで（宅配便で）広告端末４の広告主に配布する。
【００５２】
Ｓ００３は商品発注段階で、この商品発注段階では、広告主会員ＤＢに格納された会員情報に関連付けて、真正商品を取り扱う発注先会員ＤＢにアクセスし、かつ、発注先を特定した上で、会員（広告主）が所望する商品に当該会員（広告主）の商品等の表示ＴＭを付すると共に、包装容器４５に該真正商品１２を内装する旨を、発注先端末９に依頼する。
【００５３】
Ｓ００４は梱包完了段階で、この梱包完了段階では、例えば発注先会員が発注を受けた内容にしたがって債務を履行した旨を発注先端末９側からサーバ１に通知する。
【００５４】
Ｓ００５は運搬依頼段階で、この運搬依頼段階では、例えばサーバ１が発注先端末９から依頼を受けた仕事が完了した旨の情報を取得した場合に於いて、当該発注先会員ＤＢの会員コードと、物流会員ＤＢの会員コードと、設置協力者ＤＢの支配下にある自動販売機７の識別番号ａとをそれぞれ関連付け、特定した物流端末１０に対して、特定した発注先会員の所へ行って、かつ、梱包済みの包装容器（真正商品１２と広告媒体４６が内装）４５を、指定した設置協力者の場所にある特定の自動販売機７まで、何時までに運搬し、かつ、充填するように指示する。
【００５５】
Ｓ００６は充填完了段階で、この充填完了段階では、サーバ１は、検知器を備えている自動販売機にあっては、落下数や充填数に関する検知信号に基づいて自動的に、又はサーバ１の支配下に位置付けられているオペレータや充填者が、その所持するバーコード読取端末機を介して商品販売状況に関する情報を確認した場合には、読取端末機の入力部に対する手動入力によって、充填を完了した旨（充填個数の情報を含む）の通知を受ける。望ましくは、サーバ１は、各自動販売機に対する充填情報を確認した上で、残留数ＤＢに商品販売状況に関する情報を格納する。
【実施例】
【００５６】
発明の実施の形態で示した実施例に於いて、サーバ１は、広告依頼主３の商品等の表示ＴＭを印刷する印刷手段（プリンター）２６を有している。したがって、サーバ１がシールやカード状の印刷物４６を作成する場合には、前述したＳ００３の商品発注段階と同時、又は遅滞なく、広告依頼主３の商品等の表示ＴＭを付した印刷物４６を配送するか、又は、印刷物４６に関するデータを、ネットワーク２を介して、発送先端末９に送信する。
【００５７】
また、実施例によっては、印刷機端末１ａと取引をしている場合には、印刷機端末１ａに広告依頼主３の商品等の表示ＴＭを付した印刷物４６の作成を依頼して、直接又は間接的に、印刷物４６の配送や印刷物４６に関するデータを、ネットワーク２を介して発送先端末９に送信する。このように、広告依頼主３の商品等の表示ＴＭを付した印刷物４６の作成に関しては、色々な態様で実施をすることができる。
【００５８】
ところで、本実施例の商品は、「対価性の商品」、つまり、交換価値のある有体物である旨を説明したが、「該対価性の商品」に「非対価性の商品（サンプル、試供品）」を加味させ、ゲーム性を持たせても良い。
【００５９】
このような実施例の場合には、少なくとも一つの自動販売機７に容器内装の対価性の商品と、容器内装の非対価性の商品とが含まれ、幸運なユーザは、場合によっては硬貨よりも値段が良い「高価な試供品」を獲得することができる。
【００６０】
なお、後者の商品（非対価性の商品）が落下した場合には、「一種のおまけ」であることから、その場にいる者（自動販売機の設置を許容している設置協力者）の協力を得て、一般ユーザが再度、自動販売機７に対して、硬貨を投入して、又は貨を投入しないで、チャレンジできるシステムを構築することもできる。
【産業上の利用可能性】
【００６１】
本発明は、サーバと端末に間にネットワークが介在する広告代理店業界で利用される。
【図面の簡単な説明】
【００６２】
図１乃至図６は本発明の最良の実施例を示す各説明図。
【図１】広告宣伝システムのハードウェア構成図。
【図２】サーバのハードウェア構成図。
【図３】サーバ記憶部のファィル装置の概略説明図。
【図４】本発明の要部（広告情報に関する企画案）を示す概略説明図。
【図５】自動販売機に識別情報を割り当てる概略説明図。
【図６】サーバ側に視点をしたフローチャート。
【符号の説明】
【００６３】
1…サーバ、１ａ…印刷機端末、２…ネットワーク、３…広告主（広告依頼主）、４…広告依頼主端末（広告端末）、４ａ…広告端末の表示部、５…設置協力者、６…設置場所、７…自動販売機、８…自動販売機設置端末（設置端末という）、９…発注先端末、１０…物流端末、１１…一般のユーザ、１２…商品、１３…ユーザ端末、１２１…入力部、２２…サーバ制御部（中央演算処理部）、２２ａ…検索・蓄積・表示制御・出力制御等の機能、２２ｂ…自動販売機７に関する識別番号設定手段、２３…サーバ記憶部、２４…出力部、２５…サーバの表示部（表示画面）、３２…プログラム、３３…本システム用ファィル装置、３４…企画ファイル、３４ａ…自動販売機の型式情報、３４ｂ…包装体に関する情報、３４ｃ…商品情報、３４ｄ…宣伝内容に関する情報、３５…広告主会員ＤＢ、３６…発注先会員ＤＢ、３７…物流会員ＤＢ、３８…設置協力者ＤＢ、３９…自動販売機ＤＢ、４０…残留数ＤＢ、４１…収納ケース、４２…手動式の操作手段、４３…商品排出口、４４…硬貨の投入口、４５…包装体、４５ａ…紙箱形状の容器、４５ｃ…カプセル形状容器、４６…ポイントカード、ＴＭ…商品等の表示。
【図１】
2007240797.tif 000003
【図２】
2007240797.tif 000004
【図３】
2007240797.tif 000005
【図４】
2007240797.tif 000006
【図５】
2007240797.tif 000007
【図６】
2007240797.tif 000008